(57)【要約】      （修正有）【課題】小型で持ち運び可能、かつ電源が無くても利用可能で、細菌の発生を抑制し衛生面でも優れた簡易液体用サーバーを提供する。【解決手段】液体の入ったビニール袋、前記ビニール袋を収容するケース３、および、前記ケースに取り外し可能に固定されるニードルコック４からなる簡易液体用サーバー１であって、前記ケースの正面には前記ニードルコックが挿入されて固定される開口６’が設けられ、前記ニードルコックは、前記ビニール袋に挿入されて孔を開けるニードル部、液体の出口となり開閉可能なコック部、前記ニードル部と前記コック部との間に位置し、前記ケースの開口に取り外し可能に固定される係合部、および、前記ニードル部から前記コック部へと繋がる液体の通路から構成され、前記ケースの開口に前記ニードルコックを固定すると、ニードル部によって前記ビニール袋に孔が開けられ、前記ビニール袋内の液体が前記ニードルコックから供給される。【選択図】図１
2013220842.tif 000002
【特許請求の範囲】
【請求項１】
液体の入ったビニール袋、前記ビニール袋を収容するケース、および、前記ケースに取り外し可能に固定されるニードルコックからなる簡易液体用サーバーであって、
前記ケースの正面には前記ニードルコックが挿入されて取り付けられる開口が設けられ、
前記ニードルコックは、前記ビニール袋に孔を開けて挿入されるニードル部、前記ビニール袋の液体の出口となり開閉可能なコック部、前記ニードル部と前記コック部との間に位置し、前記ケースの開口に取り外し可能に取り付けられる係合部、および、前記ニードル部から前記コック部へと繋がる液体の通路から構成され、
前記ケースに前記液体の入ったビニール袋を収容し、前記ケースの開口に前記ニードルコックを固定すると、前記ニードルコックのニードル部によって前記ビニール袋に孔が開けられ、前記ビニール袋内の液体が前記ニードルコックから供給されることを特徴とする簡易液体用サーバー。
【請求項２】
前記ニードルコックの前記係合部は、円筒形状の本体に複数の異なる大きさの変形可能な鍔部が所定の間隔で配置されていることを特徴とする請求項１に記載の簡易液体用サーバー。
【請求項３】
前記ケースの前記開口が設けられる正面が長方形であり、前記長方形が縦長となる状態の時に下方となる位置に設けられた開口と、前記長方形が横長となる状態の時に下方となる位置に設けられた開口の２つの開口が前記ケースに設けられていることを特徴とする請求項１または２に記載の簡易液体用サーバー。
【請求項４】
前記ケースの開口は、前記ニードルコックを前記ケースに挿すことによって形成されることを特徴とする請求項１または２に記載の簡易液体用サーバー。
【発明の詳細な説明】
【技術分野】
【０００１】
本発明は、小型で持ち運び可能な大きさの簡易液体用サーバーに関する。
【背景技術】
【０００２】
従来のウォーターサーバーは、ボトルに液体、例えば飲料水を入れて、ウォーターサーバーの利用者に配布し、利用者は飲料水の入ったボトル等をウォーターサーバーの上部にセットする。そして、水を飲む時にウォーターサーバーのスイッチを押すと、飲料水が供給されるという装置であった。このようなものとしては、特許文献１に記載されているものがある。
【先行技術文献】
【特許文献】
【０００３】
【特許文献１】特開２００７−２１０６６７号公報
【発明の概要】
【発明が解決しようとする課題】
【０００４】
しかしながら、ウォーターサーバーは、ボトル等から飲料水等を供給するためのウォーターサーバー本体が必要であり、ウォーターサーバー本体が非常に大きいために設置するスペースが必要であった。ウォーターサーバー本体を使用するためには電源が必要であり、電源が無ければ、ボトル内の液体、例えば水を直ぐに利用することはできない。
【０００５】
そのため、ウォーターサーバー本体が故障したりすると、ボトル内の水を簡単に利用できない。もしボトル内の水を飲もうとするならば、ボトルが大きくて重いので直接コップ等にボトル内の水を入れるのは難しいので、ボトルよりも小さな別の容器に移し替えなければ水を簡単に利用することができないと言う問題があった。
【０００６】
また、水等を緊急的に大量に供給する場合や、屋外で大量に水等を使用する場合は、ペットボトルよりも量の多いウォーターサーバー用のボトルは便利であるが、この場合もやはりウォーターサーバー本体が無ければ簡単に利用できないと言う問題があった。そして、震災や災害時には電気が使えない場合も多いが、電気が無ければウォーターサーバー本体が使用できないと言う問題もある。また、災害地にはボトルを供給することはできても、ウォーターサーバー本体を供給するのは容易でない。
【０００７】
そして、従来のウォーターサーバーでは、水の入ったボトルからサーバー本体内の冷却タンクへ水が注がれ、同時に温水タンクへと水が流れる構造のために、ボトル内への空気の混入、冷却タンクへの空気の混入等により細菌やカビが繁殖すると言う問題があり、さらに細菌やカビの繁殖により異臭問題も生じている。
【０００８】
そこで、本発明は前記問題を解決するために、小型で持ち運び可能、かつ電源が無くても利用可能であり、さらに、液体の入ったビニール袋に空気が混入するのを防ぎ衛生面でも優れた簡易液体用サーバーを提供することを目的とする。
【課題を解決するための手段】
【０００９】
本発明の簡易液体用サーバーは、液体の入ったビニール袋、前記ビニール袋を収容するケース、および、前記ケースに取り外し可能に固定されるニードルコックからなる簡易液体用サーバーであって、前記ケースの正面には前記ニードルコックが挿入されて固定される開口が設けられ、前記ニードルコックは、前記ビニール袋に挿入されて孔を開けるニードル部、前記ビニール袋の液体の出口となり開閉可能なコック部、前記ニードル部と前記コック部との間に位置し、前記ケースの開口に取り外し可能に固定される係合部、および、前記ニードル部から前記コック部へと繋がる液体の通路から構成され、前記ケースに前記液体の入ったビニール袋を収容し、前記ケースの開口に前記ニードルコックを固定すると、前記ニードルコックのニードル部によって前記ビニール袋に孔が開けられ、前記ビニール袋内の液体が前記ニードルコックから供給されることを特徴とする。
【００１０】
前記ニードルコックの前記係合部は、円筒形状の本体に複数の異なる大きさの変形可能な鍔部が所定の間隔で配置されている。
【００１１】
前記ケースの正面が長方形であり、前記ケースは、前記長方形が縦長となる状態の時に下方となる位置に設けられた開口と、前記長方形が横長となる状態の時に下方となる位置に設けられた開口の２つの開口が設けられている。
【００１２】
前記ケースの開口は、前記ニードルコックを前記ケースに挿すことによって形成されることも可能である。
【発明の効果】
【００１３】
本発明の簡易液体用サーバーは、液体の入ったビニール袋、前記ビニール袋を収容するケース、および、前記ケースに取り外し可能に固定されるニードルコックからなる簡易液体用サーバーであって、前記ケースの正面には前記ニードルコックが挿入されて固定される開口が設けられ、前記ニードルコックは、前記ビニール袋に挿入されて孔を開けるニードル部、前記ビニール袋の液体の出口となり開閉可能なコック部、前記ニードル部と前記コック部との間に位置し、前記ケースの開口に取り外し可能に固定される係合部、および、前記ニードル部から前記コック部へと繋がる液体の通路から構成され、前記ケースに前記液体の入ったビニール袋を収容し、前記ケースの開口に前記ニードルコックを固定すると、前記ニードルコックのニードル部によって前記ビニール袋に孔が開けられ、前記ビニール袋内の液体が前記ニードルコックから供給されることにより、従来の様な大型のウォーターサーバー本体が不要となり、小型で持ち運び可能で、電源が無くても液体を供給することが可能となり、さらに前記ニードルコックを直接液体の入ったビニール袋に挿して使用することから、ビニール袋内に空気が混入するのを防ぐことができるので、細菌の発生を抑制することも可能となる。
【００１４】
前記ニードルコックの前記係合部は、円筒形状の本体に複数の異なる大きさの変形可能な鍔部が所定の間隔で配置されていることにより、ニードルコックを確実に固定することが可能となる。
【００１５】
前記ケースの正面が長方形であり、前記ケースは、前記長方形が縦長となる状態の時に下方となる位置に設けられた開口と、前記長方形が横長となる状態の時に下方となる位置に設けられた開口の２つの開口が設けられていることにより、前記ケースを縦置きおよび横置きの両方の状態で使用することが可能となる。
【図面の簡単な説明】
【００１６】
【図１】本発明の簡易液体用サーバーの斜視図。
【図２】ケースの斜視図。
【図３】ニードルコックの側面図であり、（ａ）はコック部を閉じた状態、（ｂ）はコック部を開いた状態を示す。
【図４】ケースに液体の入ったビニール袋を収納した状態を示す斜視図。
【図５】別の形態の簡易液体用サーバーの斜視図。
【図６】別の形態のケースの斜視図。
【図７】別の形態のニードルコックの側面図。
【発明を実施するための形態】
【００１７】
本発明を、図を用いて以下に詳細に説明する。図１が本発明の簡易液体用サーバー１の斜視図である。
【００１８】
本発明の簡易液体用サーバー１は、液体の入ったビニール袋２、前記ビニール袋２を収容する立方体形状のケース３、前記ケース３に取り外し可能に取り付けられるニードルコック４から構成される。前記液体としては、ここでは水を用いて説明するが、特に水に限定するものではなく、清涼飲料水、ワインや日本酒等のアルコール、油、ケチャップ、ソース、マヨネーズ、調味料等、様々なものを用いることができる。
【００１９】
前記ケース３は、図２に示すように、側面または上面となる部分にヒンジによって開閉可能な蓋５が設けられており、前記蓋５を開けて前記ビニール袋２を出し入れする構造であって、蓋５を正面でロックする構造としている。また、前記ケース３の正面には２つの開口６，６’が設けられている。前記開口６は、前記ケース３の正面の長方形が縦長となる縦置きの状態の時に下方となる位置に設けられており、前記開口６’は前記長方形が横長となる横置きの状態の時に下方となる位置に設けられている。
【００２０】
前記ケース３の大きさの一例としては、６Ｌの液体が入ったビニール袋２を収容できる大きさとする。さらに、前記ケース３を冷蔵庫の棚に入る大きさとすることが好ましい。これにより、前記ケース３ごと冷やすことによってビニール袋２の中の液体を冷やすことができる。
【００２１】
前記ケース３の素材としては、プラスチック等の樹脂成形、段ボール、金属等を用いることができる。本実施形態のように前記ケース３を樹脂成形した場合には、軽量で持ち運びが容易で繰り返し使用することができる。前記ケース３を段ボールで形成した場合には、低コストで使い捨て可能なものとすることができる。また、前記ケース３を金属等で製造し、一度冷却した液体をより長時間保つことが可能な保冷構造とすることもできる。
【００２２】
前記ビニール袋２は、３層構造のフィルムを用いた袋であり、外側から順に、外層、中間層、内層で構成される。前記外層は、前記ニードルコック４で孔が開けられることを考えて、先端が尖ったもので孔を開けても裂けない柔軟性を有するフィルムを用いる。
【００２３】
前記中間層は、液体を収容した場合に、衝撃を受けた時に破れたり、破裂したりしないように適度な強度を有するフィルムを用いる。前記内層は、飲料水等の液体と直接触れるので、異臭が少ないフィルムを用いる。
【００２４】
前記ニールコック４は、図３に示すように、前記ビニール袋２に挿入されて孔を開けるニードル部７、前記ビニール袋２の中の液体の出口となり開閉可能なコック部８、前記ニードル部７と前記コック部８との間に位置し、前記ケース３の開口６，６’に挿入されて取り外し可能に取り付けられる係合部９、および、前記ニードル部７から前記コック部８へと繋がり、前記ビニール袋２内の液体が流れる円筒形状の通路から構成される。
【００２５】
前記ニードル部７は、図３に示すように、円筒形状で先端が斜めに切断されて尖った形状で、前記ビニール袋２に孔を開け、ビニール袋２内の液体を排出することができる。前記コック部８は上方に設けたコック１０を操作することによって前記通路の先端が開閉可能な構造であり、先端が下方に傾斜して液体をコップ等に入れ易い形状としている。前記コック１０を押すと、図３（ｂ）に示すように、コック部８の先端を塞いでいた部分が上方に移動し、通路が開放され水が出てくる状態となる。この時、前記コック１０がストッパー１４によって停止されている。
【００２６】
前記ニードル部７、前記コック部８、および前記ニードル部７から前記コック部８へと通じる通路は樹脂によって成形されており、外周面には２つの鍔部１１，１１’が形成され、前記２つの鍔部１１，１１’の間に、別体のゴム製の係合部９が取り付けられている。
【００２７】
前記係合部９は、前記通路の外周面と接する筒部１２と前記筒部１２の外周に形成された複数の鍔１３，１３’から構成される。前記鍔１３，１３’の中の１つの鍔１３は前記鍔部１１と同じ大きさで前記鍔部１１と接する形状となっている。前記鍔１１から所定の間隔で５つの鍔１１’が配置されており、さらに、５つの鍔１１’の大きさは前記鍔１１に近い方から順番に小さくなっている。
【００２８】
このような形状の係合部９は前記ケース３の開口６，６’に挿入する時に、挿入するのは容易であるが、簡単には外れることが無い。しかしながら、前記係合部９をゴム製としていることにより、ある程度の力を加えると前記係合部９を前記ケース３から取り外すことができる。また、前記係合部９はゴム製でありパッキンとして作用することも可能である。前記ニードルコック４の前記ニードル部７、前記コック部８、前記係合部９の形状、構造等はここに記載したものに限定するのではなく、様々な形態を用いることが可能である。
【００２９】
次に、本発明の簡易液体用サーバー１の使用方法について説明する。  ここではケース３を縦置きに使用することを想定して説明する。初めに、ケース３を用意する。この時、前記ケース３の中は空であり、図２に示すように、ニードルコック４も取り付けられていない。そして、前記ケース３の蓋５を開けて、水の入ったビニール袋２を中に収容し、前記蓋５を閉じる。
【００３０】
図４に示すように、前記ビニール袋２を収容した前記ケース３を縦置きにした後、図３（ａ）に示すような前記コック部８によって先端を閉じた状態のニードルコック４を前記ケース３の開口６に挿入して取り付ける。この時、前記ニードルコック４のニードル部７は前記ビニール袋２に孔を開け、その先端がビニール袋２の中に位置する状態となる。このように、前記ニードルコック４を前記ケース３に固定すると、前記ビニール袋２に孔が開けられる。
【００３１】
このようにして、図１に示すように、前記ニードルコック４の前記ケース３への取付が完了すると、前記簡易液体用サーバー１が使用可能な状態となる。後は、前記ニードルコック４のコック部８を操作して、前記ビニール袋２の中の水を出すことができる。前記ビニール袋２の中の水は水圧によって出てくるが、水が少なくなり出難くなった場合には、ケース３を前に傾けると残りの水が出やすくなる。
【００３２】
そして、前記ビニール袋２の中の水が無くなったら、前記ニードルコック４を前記ケース３から取り外し、前記蓋５を開けて前記ビニール袋２を前記ケース３から取り出す。そして、次に、新しい水の入ったビニール袋２をケース３に入れ、前記ニードルコック４を前記ケース３に取り付けると再び、利用可能な状態となる。
【００３３】
このように、本発明の簡易液体用サーバー１は電源が不要であり、小型で軽量に仕上げることができるので、家の中、あるいは屋外にも持ち運び可能であり、レジャー等で使用することもできる。また、非常時の備蓄水としても利用可能であり、また、災害時にもすぐに利用することが可能である。
【００３４】
さらに、前記ビニール袋２の容量が６Ｌとした場合、前記ケース３を横置きにすれば、冷蔵庫の棚に収容可能な大きさにすることができるので、前記ビニール袋２内の液体を簡単に冷却することも可能であり、冷蔵庫に入れたままの状態でコック部８を操作して液体を出すことも可能である。
【００３５】
また、前記ニードルコック４は簡単に取り外し可能であることから、その都度、洗浄することで清潔な状態を保つことも可能である。そして、緊急の場合には、ニードルコック４を直接ビニール袋２に突き刺して水を出すことも可能である。
【００３６】
そして、本発明の簡易液体用サーバー１は、ニードルコック４を直接ビニール袋２に挿して使用することから、ビニール袋２内に空気が混入するの防ぐことができ、細菌等が繁殖、および異臭の発生を抑制し、衛生面でも優れた効果を奏する。
【００３７】
次に、段ボール製のケース２３を用いた簡易液体用サーバー２１について説明する。図５に示すのが段ボール製のケース２３を用いた簡易液体用サーバー２１の斜視図である。
【００３８】
前記ケース２３は、図６に示すように、使用前には開口が設けられていない。最初に使用する際に、ニードルコック２４を用いて孔を開けて開口を形成する。この時、前記ケース２３には最初から水等の液体の入ったビニール袋を入れておく。そして、前記ニードルコック２４を用いて、前記ケース２３および前記ビニール袋に孔を開ける。これにより、前記ニードルコック２４は前記ケース２３に固定され、前記ビニール袋にニードル部２７が挿入された状態となる。
【００３９】
前記ニードルコック２４は、図７に示すように、前記ビニール袋に挿入されて孔を開けるニードル部２７、前記ビニール袋の中の液体の出口となり開閉可能なコック部２８、前記ニードル部２７と前記コック部２８との間に位置し、前記ケース２３の開口を形成し、取り外し可能に取り付けられる係合部２９、および、前記ニードル部２７から前記コック部２８へと繋がり、前記ビニール袋内の液体が流れる円筒形状の通路から構成される。前記ニードル部２７および前記係合部２９は、前記ニードル部７および前記ニードル部９と同じ構造を用いているために、詳細な説明は省略する。
【００４０】
前記コック部２８は、前記コック部８とは異なる構造を用いており、下向きに液体の出る開口が形成され、上部に形成されたコック３０を操作することにより、コック部２８の内部に設けられた栓（図示せず）を開閉する構造を用いている。前記コック部８と同じ構造を用いることも可能である。
【００４１】
本実施形態の簡易液体用サーバー２１は、段ボール製のケース２３を用いているために、前記ケース２３と液体の入ったビニール袋をセットとすることも可能である。この場合、前記ニードルコック２４を用意しておけば、例えば、屋外等で使用する際に、使用済みのケース２３をビニール袋と一緒にゴミとして捨てることも可能である。このような段ボール製のケース２３を用いる場合には、前記ケース２３を低コストで提供できるので、貯蔵用としても最適である。
【００４２】
そして、前記ケース２３を繰り返し使用する場合には、その都度、前記ニードルコック２４を用いて好きな位置に前記開口２６を開けることも可能であるので、繰り返し使用しても前記ニードルコック２４を確実に前記ケース２３に固定することができる。
【００４３】
前記ケース２３に液体の入ったビニール袋を入れた状態で、冷蔵庫に保管し液体を冷却することも可能である。
【００４４】
このように、本願発明の簡易液体用サーバーは、簡単に、そして広範囲に利用することができ、様々な場面に用いることができる。
【符号の説明】
【００４５】
１    簡易液体用サーバー
２    ビニール袋
３    ケース
４    ニードルコック
５    蓋
６    開口
７    ニードル部
８    コック部
９    係合部
１０  コック
１１  鍔部
１２  筒部
１３  鍔
１４  ストッパー
２１  簡易液体用サーバー
２３  ケース
２４  ニードルコック
２７  ニードル部
２８  コック部
２９  係合部
３０  コック
【図１】
2013220842.tif 000003
【図２】
2013220842.tif 000004
【図３】
2013220842.tif 000005
【図４】
2013220842.tif 000006
【図５】
2013220842.tif 000007
【図６】
2013220842.tif 000008
【図７】
2013220842.tif 000009